(57)【特許請求の範囲】
【請求項１】
データを格納するファイルシステム装置を備えた情報処理装置において、
該ファイルシステム装置に対してデータ書き込みのためのアクセスを行う度に、少なくともアクセス中を示すフラグ情報、アクセスする時刻に関する情報及びアクセスする前記ファイルシステム装置のアクセスアドレスに関する情報を前記ファイルシステム装置に対するアクセス情報として記録する不揮発性メモリ装置をさらに備え、
前記ファイルシステム装置に対するデータ書き込みのためのアクセス要求が発生する度に前記ファイルシステム装置に対する当該アクセスに先立って、前記不揮発性メモリ装置に記録されているアクセス情報に含まれる前記フラグ情報に基づいて、前回のデータ書き込みのためのアクセスが途中で遮断しているか否かを確認し、アクセス中を示すフラグ情報から前回のデータ書き込みのためのアクセスが途中で終了したものと判断される場合には、アクセス遮断が発生した旨を示すフラグ情報、アクセス遮断が発生した時刻に関する情報、アクセス遮断が発生した前記ファイルシステム装置のアクセスアドレスに関する情報を少なくとも含むアクセス遮断発生情報を、前記不揮発性メモリ装置に記録された前回のデータ書き込みのためのアクセスにおける前記アクセス情報を参照することにより取得して前記不揮発性メモリ装置の前記アクセス情報とは別の場所に記録することを特徴とする情報処理装置。
【請求項２】
前記ファイルシステム装置に対するアクセス遮断が発生した際に、その旨を示すアラームを発出して通報することを特徴とする請求項１に記載の情報処理装置。
【請求項３】
前記アクセス遮断発生情報を、履歴情報として、１ないし複数回、前記不揮発性メモリ装置に記録することを可能としていることを特徴とする請求項１または２に記載の情報処理装置。
【請求項４】
データを格納するファイルシステム装置のデータ書き込みのためのアクセスを監視するファイルシステム監視方法において、
該ファイルシステム装置に対してデータ書き込みのためのアクセスを行う度に、情報処理装置は、少なくともアクセス中を示すフラグ情報、アクセスする時刻に関する情報及びアクセスする前記ファイルシステム装置のアクセスアドレスに関する情報を含む情報をアクセス情報として記録する不揮発性メモリ装置を備え、
該情報処理装置は、前記ファイルシステム装置に対するデータ書き込みのためのアクセス要求が発生する度に前記ファイルシステム装置に対する当該アクセスに先立って、前記不揮発性メモリ装置に記録されているアクセス情報に含まれる前記フラグ情報に基づいて、前回のデータ書き込みのためのアクセスが途中で遮断しているか否かを確認し、アクセス中を示すフラグ情報から前回のデータ書き込みのためのアクセスが途中で終了したものと判断される場合には、アクセス遮断が発生した旨を示すフラグ情報、アクセス遮断が発生した時刻に関する情報、アクセス遮断が発生した前記ファイルシステム装置のアクセスアドレスに関する情報を少なくとも含むアクセス遮断発生情報を、前記不揮発性メモリ装置に記録された前回のデータ書き込みのためのアクセスにおける前記アクセス情報を参照することにより取得して前記不揮発性メモリ装置の前記アクセス情報とは別の場所に記録することを特徴とするファイルシステム監視方法。
【請求項５】
前記情報処理装置は、前記ファイルシステム装置に対するアクセス遮断が発生した際に、その旨を示すアラームを発出して通報することを特徴とする請求項４に記載のファイルシステム監視方法。
【請求項６】
前記情報処理装置は、前記アクセス遮断発生情報を、履歴情報として、１ないし複数回、前記不揮発性メモリ装置に記録することを特徴とする請求項４または５に記載のファイルシステム監視方法。
【請求項７】
請求項４ないし６のいずれかに記載のファイルシステム監視方法を、コンピュータに実行させることを特徴とするファイルシステム監視プログラム。
【請求項８】
請求項７に記載のファイルシステム監視プログラムがコンピュータにより読み取り可能に記録されたプログラム記録媒体。
【発明の詳細な説明】
【技術分野】
【０００１】
本発明は、情報処理装置、ファイルシステム監視方法、ファイルシステム監視プログラムおよびプログラム記録媒体に関する。
【背景技術】
【０００２】
ハードディスクドライブやフラッシュメモリ等を用いたストレージデバイスにデータを記録する一般的なファイルシステムでは、データを書き込んでいる最中に、外来ノイズや電源の遮断等によって、ファイルシステム内部の書き込み処理が中断された場合、ファイルシステムの内部状態が異常になることにより、データの喪失だけではなく、ファイルシステム自体が正常に動作しなくなる状況に陥ることがある。
【０００３】
つまり、ファイルシステムにおける主な故障原因の一つとして、書き込みアクセス途中におけるアクセス遮断動作によるものが挙げられる。このため、特許文献１の特開２００５−２３４９５７号公報「フラッシュメモリにおけるデータアクセス制御方法、データアクセス制御プログラム」のように、複数のデータ領域を用意し、各データ領域ごとに有効フラグと無効フラグとを有することにより、データ書き込み途中で中断された場合であっても、有効なデータを格納しているデータ領域を識別することによって、継続して、ファイルシステムを使用可能とする技術が開示されている。
【特許文献１】特開２００５−２３４９５７号公報（第７−８頁）
【発明の開示】
【発明が解決しようとする課題】
【０００４】
しかしながら、前記特許文献１のような従来の技術では、ファイルシステムが故障した後に、実際にアクセス遮断が発生したことが原因であるか否かを、把握することができない。つまり、故障状態に陥った後では、書き込みアクセス中に中断が発生したのか否か、あるいは、いつ、どのアドレスを書き込みしようとしたのか、などについて、正確に把握することができない。このため、推測によって、原因を想定する以外に方法がないという問題があった。
【０００５】
本発明は、かかる事情に鑑みてなされたものであり、ファイルシステムへのアクセスに遮断が発生した場合のアクセス情報を保存する仕組みを備えた情報処理装置、ファイルシステム監視方法、ファイルシステム監視プログラムおよびプログラム記録媒体を提供することを、その目的としている。
【課題を解決するための手段】
【０００６】
前述の課題を解決するため、本発明による情報処理装置、ファイルシステム監視方法、ファイルシステム監視プログラムおよびプログラム記録媒体は、次のような特徴的な構成を採用している。
【０００７】
（１）データを格納するファイルシステム装置を備えた情報処理装置において、該ファイルシステム装置に対するアクセス情報を記録する不揮発性メモリ装置をさらに備え、前記ファイルシステム装置に対するアクセスに先立って、前記不揮発性メモリ装置に記録されているアクセス情報に基づいて、前回のアクセスが途中で遮断しているか否かを確認し、アクセス遮断が発生していた場合には、アクセス遮断発生情報を前記不揮発性メモリ装置に記録する情報処理装置。
【発明の効果】
【０００８】
本発明の情報処理装置、ファイルシステム監視方法、ファイルシステム監視プログラムおよびプログラム記録媒体によれば、アクセス遮断発生情報として、不揮発性メモリ装置にアクセス遮断の発生の有無や、アクセス遮断が発生した際の遮断発生時刻およびアクセス遮断が発生したアクセスアドレス情報が少なくとも保存されるので、該不揮発性メモリ装置に保存されているアクセス遮断発生情報を、後々においても、確認することが可能であり、而して、正確なアクセス遮断状況を把握することが可能になるという効果を得ることができる。
【発明を実施するための最良の形態】
【０００９】
以下、本発明による情報処理装置、ファイルシステム監視方法、ファイルシステム監視プログラムおよびプログラム記録媒体の好適な実施形態について添付図を参照して説明する。なお、以下の説明においては、本発明による情報処理装置、ファイルシステム監視方法について説明するが、かかるファイルシステム監視方法をコンピュータにより実行可能なファイルシステム監視プログラムとして実施するようにしても良いし、あるいは、ファイルシステム監視プログラムをコンピュータにより読み取り可能な記録媒体に記録するようにしても良いことは言うまでもない。
【００１０】
（本発明の特徴）
本発明の実施例の説明に先立って、本発明の特徴について、その概要をまず説明する。本発明は、ハードディスクドライブや半導体フラッシュメモリ等により構成されるファイルシステム装置を備えた情報処理装置において、ファイルシステム装置に記憶されているデータの書き込み処理中のアクセスに関する遮断発生状況を、不揮発性メモリ装置を利用することにより監視する機能とアクセス遮断が発生した場合にアクセス遮断発生情報を保存する機能とを提供するものであり、書き込み時のアクセス中断が発生したか否かを確認することを可能とし、アクセス中断の発生時には、書き込みを実施した対象アドレスを確認することを可能するとともに、さらには、アクセス中断が発生した時刻を確認することをも可能とすることを特徴としている。
【００１１】
（実施例の構成）
図１に、本発明の情報処理装置の一構成例を示す。図１の情報処理装置には、ＣＰＵ（中央演算ユニット）１０１、表示装置１０２、入出力装置１０３、時計１０４、主記憶装置１０５、不揮発性メモリ装置１０６、ファイルシステム装置１０７が、少なくとも備えられている。ここで、不揮発性メモリ装置１０６を除く各装置、つまり、ＣＰＵ１０１、表示装置１０２、入出力装置１０３、時計１０４、主記憶装置１０５、ファイルシステム装置１０７は、一般のパーソナルコンピュータ等と同等の情報処理装置を構成するものである。
【００１２】
図１の情報処理装置の基本動作としては、ファイルシステム装置１０７に格納されている制御プログラムを主記憶装置１０５に読み出して、その制御プログラムの記述内容（命令）にしたがって、ＣＰＵ１０１が、順次処理を実行し、入出力装置１０３、表示装置１０２を活用して、情報処理を進める機能を有している。ＣＰＵ１０１は、保持することが必要なデータについては、必要に応じて、ファイルシステム装置１０７に書き込んで、保存することが可能である。また、ＣＰＵ１０１は、時計１０４から、現在の日時情報を取得する機能も有している。
【００１３】
（実施例の動作の説明）
次に、本発明の一実施例である図１の情報処理装置におけるファイルシステムの書き換え動作について、図２のフローチャートを用いて説明する。図２は、図１の情報処理装置の実施例においてファイルシステムの書き込み時の基本的な動作の一例を示す処理フローチャートであり、一般的なファイルシステムにおけるデータ書き込み処理の動作を示している。図２の処理フローチャートは、主記憶装置１０５に読み出して記憶された制御プログラムにしたがって、ＣＰＵ１０１が実行されるものである。
【００１４】
まず、“書き込みパラメータ設定”として、ファイルシステム装置１０７内のファイルシステムに書き込みを行う領域を設定する（ステップＳ２０１）。その後、“書き込みコマンド発行”として、本ファイルシステムに書き込み実行指示を与える（ステップＳ２０２）。
【００１５】
しかる後、“データ書き込み”として、実際に、書き込むべきデータを、ファイルシステム装置１０７内の書き込み領域として設定されたファイルシステムの領域に書き込むことによって、ファイルシステム内部における書き込み処理が進行する（ステップＳ２０３）。ファイルシステム装置１０７における内部書き込み処理が完了すると（ステップＳ２０４のＹｅｓ）、ＣＰＵ１０１に通知されてくるので、ＣＰＵ１０１にて、この内部書き込み処理の完了を認識することにより、一連の書き込み処理が完了となる。
【００１６】
ここで、図２に示す処理フローチャートにおいて、ステップＳ２０２における“書き込みコマンド発行”から、ステップＳ２０４における“内部書き込み処理完了”までの間に、ファイルシステムにおける内部書き込み処理が遮断された場合には、ファイルシステム自体が故障に至る可能性が高いと考えられる。
【００１７】
図３は、本発明による情報処理装置の一例として図１に示した不揮発性メモリ装置１０６に該当するＳＲＡＭ（Static  Random  Access  Memory）メモリにおいて、ファイルシステムへのアクセス情報やアクセス遮断発生情報を制御情報として記録しているアドレスの割り当て状況の一例を示すメモリ構成図である。図３の本ＳＲＡＭメモリは、情報処理装置本体の電源が切断された場合においても、電池等により記憶されたデータはそのまま保持される不揮発性メモリ機能を有している。
【００１８】
図３に示すように、不揮発性メモリ装置１０６例えばＳＲＡＭメモリにおいては、１アドレスが１６ｂｉｔ／ｗｏｒｄの情報を格納可能であり、ファイルシステムに対するアクセス状況を示す制御領域として、１６進数アドレス表示で“１０００”ｈから“１００Ｄ”ｈまでの領域に各種の制御用データが格納されている。
【００１９】
ファイルシステムに対するアクセス状況を示す制御領域のアドレス“１０００”ｈには、ファイルシステムへアクセス中か否かを示すアクセス中フラグが、また、アドレス“１００１”ｈ〜“１００４”ｈには、最後にファイルシステムにアクセスした最終アクセス年・最終アクセス月日・最終アクセス時分・最終アクセス秒が順番に格納されている。また、アドレス“１００５”ｈとアドレス“１００６”ｈには、それぞれ、最後にアクセスしたアドレスを示す最終アクセス上位アドレスと最終アクセス下位アドレスに関する情報が格納されている。
【００２０】
また、ファイルシステムに対するアクセス状況を示す制御領域のアドレス“１００７”ｈには、ファイルシステムへのアクセス中に遮断が発生したか否かを示す遮断発生フラグが、また、アドレス“１００８”ｈ〜“１００Ｂ”ｈには、遮断を検出した際に、実際にアクセスした時間を示す遮断アクセス年・遮断アクセス月日・遮断アクセス時分・遮断アクセス秒が順番に格納されている。また、アドレス“１００Ｃ”ｈとアドレス“１００Ｄ”ｈには、それぞれ、遮断を検出した際に、実際にアクセスしたアドレスを示す遮断アクセス上位アドレスと遮断アクセス下位アドレスに関する情報が格納されている。
【００２１】
図３に示す例において、アドレス“１０００”ｈのアクセス中フラグに“０”が書かれている場合には、ファイルシステムへの非アクセス状態を示し、“１”が書かれている場合には、ファイルシステムへのアクセス中状態を示すものとする。同様に、アドレス“１００７”ｈの遮断発生フラグに“０”が書かれている場合には、ファイルシステムへのアクセスの遮断未検出状態であることを示し、“１”が書かれている場合には、ファイルシステムへのアクセスの遮断検出状態を示すものとする。なお、情報処理装置の電源がオンされて稼動が開始された初期状態においては、アドレス“１０００”ｈのアクセス中フラグ、アドレス“１００７”ｈの遮断発生フラグは、いずれも、“０”に初期化しておく。
【００２２】
また、図３には、実際の格納内容について、その一例が記載されており、アドレス“１０００”ｈのアクセス中フラグに示すように、現在は、ファイルシステムにアクセス中ではなく、アドレス“１００１”ｈ〜“１００４”ｈの最終アクセス年月日時刻に示すように、最後にファイルシステムにアクセスした年月日時刻が２００５年０５月２８日０８時５６分３２秒であり、アドレス“１００５”ｈ、“１００６”ｈの最終アクセスアドレスに示すように、最終アクセスアドレスが“０３１１１９６６”であったことを示している。
【００２３】
また、アドレス“１００７”ｈの遮断発生フラグに示すように、ファイルシステムに対するアクセス遮断が過去に発生しており、アドレス“１００８”ｈ〜“１００Ｂ”ｈの遮断アクセス年月日時刻に示すように、ファイルシステムにアクセス中に遮断が発生した年月日時刻が２００５年０４月１２日１６時３０分２４秒であり、アドレス“１００Ｃ”ｈ、“１００Ｄ”の遮断アクセスアドレスに示すように、遮断アクセスアドレスが“１００５２００１”であったことを示している。
【００２４】
図４は、本発明の情報処理装置の動作の一例を示す処理フローチャートであり、ファイルシステムに対するアクセス動作の一例を示している。図４の処理フローチャートに従って、本発明の実施例について図１の情報処理装置の動作の一例について、以下に順次説明する。
【００２５】
まず、ＣＰＵ１０１にて、ファイルシステム装置１０７に対するファイルシステムの書き込み処理が開始されると、ファイルシステムへの実際のアクセスに先立って、不揮発性メモリ装置１０６のＳＲＡＭメモリから、アドレス“１０００”ｈに格納されているアクセス中フラグを読み出す（ステップＳ４０１）。読み出したアクセス中フラグが“０”の場合には（ステップＳ４０２のＮｏ）、前回のファイルシステムへの書き込み処理は、最後まで、正常に実施されているものと判断されて、ステップＳ４０５の処理に進む。
【００２６】
一方、アクセス中フラグが“１”の場合には（ステップＳ４０２のＹｅｓ）、前回のファイルシステムアクセスが途中で終了したものと判断される。かかる場合には、前述したように、不揮発性メモリ装置１０６のＳＲＡＭメモリのアドレス“１００１”ｈ〜“１００６”ｈには、最後にアクセスした年月日時刻に関する情報と最後にアクセスしたファイルシステムのアドレスに関する情報とが、アクセス属性情報として格納されている。
【００２７】
これらのアクセス属性情報を、不揮発性メモリ装置１０６のＳＲＡＭメモリのアドレス“１００１”ｈ〜“１００６”ｈから読み出して、遮断発生の年月日時刻、遮断発生アドレスを示す情報として、不揮発性メモリ装置１０６のＳＲＡＭメモリのアドレス“１００８”ｈ〜“１００Ｄ”ｈに書き込む。さらに、遮断発生を示すフラグとして、不揮発性メモリ装置１０６のＳＲＡＭメモリのアドレス“１００７”ｈの遮断発生フラグに“１”を書き込む(ステップＳ４０３)。
【００２８】
しかる後、前回のファイルシステムへの書き込み処理に関する遮断発生処理が終了したものとして、不揮発性メモリ装置１０６のＳＲＡＭメモリのアドレス“１０００”ｈのアクセス中フラグに“０”を書き込み、遮断発生検出時の処理を終了する(ステップＳ４０４)。
【００２９】
次に、ＣＰＵ１０１は、時計１０４から現在の時刻情報を読み出して(ステップＳ４０５)、不揮発性メモリ装置１０６のＳＲＡＭメモリのアドレス“１００１”ｈ〜“１００６”ｈに、今回のファイルシステムに対する書き込みアクセスの年月日時刻に関する属性情報として、時計１０４から読み出した時刻情報を、さらに、ファイルシステムに対して書き込みを行うアドレスをアクセスアドレスに関する属性情報として書き込む(ステップＳ４０６)。
【００３０】
さらに、ファイルシステムへのアクセス中を示すフラグとして、不揮発性メモリ装置１０６のＳＲＡＭメモリのアドレス“１０００”ｈのアクセス中フラグを“１”に設定する(ステップＳ４０７)。以上の処理を行った後、図２にて説明した通常のファイルシステムの書き込み処理フローチャートの動作と同様のファイルシステムに対する実際のアクセス動作に移行する。つまり、図２のフローチャートと同様、“書き込みパラメータの設定”を行い(ステップＳ４０８)、さらに、“書き込みコマンド”を発行し(ステップＳ４０９)、“データ書き込み”を実施し(ステップＳ４１０)、ファイルシステムの内部書き込み処理が完了するのを待ち合わせる(ステップＳ４１１のＮｏ)。
【００３１】
最終的に、内部書き込み処理が完了した場合(ステップＳ４１１のＹｅｓ)、ファイルシステムへのアクセスが完了したことを示すために、不揮発性メモリ装置１０６のＳＲＡＭメモリのアドレス“１０００”ｈのアクセス中フラグを“０”に書き戻す(ステップＳ４１２)。
【００３２】
ここで、ファイルシステムへのアクセス遮断が発生していた場合には、アドレス“１０００”ｈのアクセス中フラグが、“１”に設定されたままになる。したがって、ファイルシステムへの次のアクセス要求が発生した際に、ステップＳ４０２において、アクセス遮断が発生していることが検出されることになり、ステップＳ４０３において、不揮発性メモリ装置１０６のＳＲＡＭメモリにファイルシステムへのアクセス遮断に関する情報が記録されることになる。
【００３３】
なお、本処理フローチャートには示していないが、不揮発性メモリ装置１０６のＳＲＡＭメモリにファイルシステムへのアクセス遮断に関する情報が記録された際には、ただちに、ハードディスクドライブや半導体フラッシュメモリ等から構成されているファイルシステム装置１０７の異常を示すアラーム情報を発出して、ファイルシステム装置１０７の管理者へ通報するようにしても良い。
【００３４】
また、図３の不揮発性メモリ装置１０６のＳＲＡＭメモリには、ファイルシステムへのアクセス遮断に関する情報を、直近に発生した１回分のみ（つまり、アドレス“１００７”ｈ〜“１００Ｄ”ｈの領域に示すように、１回分のみ）格納するようにしているが、場合によっては、過去に発生した複数回のアクセス遮断に関する情報を、履歴情報として順次保存するようにしても良い。過去に発生した複数回のアクセス遮断に関する情報を利用することにより、より有益な解析データを採取することができる可能性もある。
【００３５】
（本実施例の効果の説明）
以上に詳細に説明したように、本実施例によれば、ファイルシステムへの書き込み途中で電源断やアクセス不良等により、ファイルシステムへのアクセスに遮断が発生した場合に、アクセス遮断発生情報として、不揮発性メモリ装置１０６であるＳＲＡＭメモリにアクセス遮断の発生の有無や、アクセス遮断が発生した際の遮断発生年月日時刻およびアクセス遮断が発生したアクセスアドレス情報が少なくとも保存されているので、不揮発性メモリ装置１０６であるＳＲＡＭメモリに保存されているアクセス遮断発生情報を、後々に、確認することが可能であり、而して、正確なアクセス遮断状況を把握することが可能となる。
【００３６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
【００３７】
（２）前記不揮発性メモリ装置に記録する前記アクセス遮断発生情報として、アクセス遮断が発生した旨を示すフラグ情報、アクセス遮断が発生した時刻に関する情報、アクセス遮断が発生した前記ファイルシステム装置のアクセスアドレスに関する情報を少なくとも含む上記（１）の情報処理装置。
（３）前記ファイルシステム装置に対するアクセスを行う際に、少なくとも、アクセス中を示すフラグ情報、アクセスする時刻に関する情報、アクセスする前記ファイルシステム装置のアクセスアドレスに関する情報を、前記アクセス情報として前記不揮発性メモリ装置に記録する上記（１）または（２）の情報処理装置。
（４）前記不揮発性メモリ装置に記録する前記アクセス遮断発生情報は、前記不揮発性メモリ装置に記録された前回のアクセスにおける前記アクセス情報を参照することにより、取得される上記（３）の情報処理装置。
（５）前記ファイルシステム装置に対するアクセス遮断が発生した際に、その旨を示すアラームを発出して通報する上記（１）ないし（４）のいずれかの情報処理装置。
（６）前記アクセス遮断発生情報を、履歴情報として、１ないし複数回、前記不揮発性メモリ装置に記録することを可能としている上記（１）ないし（５）のいずれかの情報処理装置。
（７）データを格納するファイルシステム装置のアクセスを監視するファイルシステム監視方法において、該ファイルシステム装置に対するアクセス情報を記録する不揮発性メモリ装置を備え、前記ファイルシステム装置に対するアクセスに先立って、前記不揮発性メモリ装置に記録されているアクセス情報に基づいて、前回のアクセスが途中で遮断しているか否かを確認し、アクセス遮断が発生していた場合には、アクセス遮断発生情報を前記不揮発性メモリ装置に記録するファイルシステム監視方法。
（８）前記不揮発性メモリ装置に記録する前記アクセス遮断発生情報として、アクセス遮断が発生した旨を示すフラグ情報、アクセス遮断が発生した時刻に関する情報、アクセス遮断が発生した前記ファイルシステム装置のアクセスアドレスに関する情報を少なくとも含む上記（７）のファイルシステム監視方法。
（９）前記ファイルシステム装置に対するアクセスを行う際に、少なくとも、アクセス中を示すフラグ情報、アクセスする時刻に関する情報、アクセスする前記ファイルシステム装置のアクセスアドレスに関する情報を、前記アクセス情報として前記不揮発性メモリ装置に記録する上記（７）または（８）のファイルシステム監視方法。
（１０）前記不揮発性メモリ装置に記録する前記アクセス遮断発生情報は、前記不揮発性メモリ装置に記録された前回のアクセスにおける前記アクセス情報を参照することにより、取得される上記（９）のファイルシステム監視方法。
（１１）前記ファイルシステム装置に対するアクセス遮断が発生した際に、その旨を示すアラームを発出して通報する上記（７）ないし（１０）のいずれかのファイルシステム監視方法。
（１２）前記アクセス遮断発生情報を、履歴情報として、１ないし複数回、前記不揮発性メモリ装置に記録することを可能としている上記（７）ないし（１１）のいずれかのファイルシステム監視方法。
（１３）上記（７）ないし（１２）のいずれかのファイルシステム監視方法を、コンピュータにより実行可能なプログラムとして実施するファイルシステム監視プログラム。
（１４）上記（１３）のファイルシステム監視プログラムを、コンピュータにより読み取り可能な記録媒体に記録しているプログラム記録媒体。
【図面の簡単な説明】
【００３８】
【図１】本発明の情報処理装置の一構成例を示すブロック構成図である。
【図２】図１の情報処理装置の実施例においてファイルシステムの書き込み時の基本的な動作の一例を示す処理フローチャートである。
【図３】本発明による情報処理装置の一例として図１に記載の不揮発性メモリ装置に該当するＳＲＡＭメモリのアドレス割り当て状況の一例を示すメモリ構成図である。
【図４】本発明の情報処理装置の動作の一例を示す処理フローチャートである。
【符号の説明】
【００３９】
１０１      ＣＰＵ
１０２      表示装置
１０３      入出力装置
１０４      時計
１０５      主記憶装置
１０６      不揮発性メモリ装置
１０７      ファイルシステム装置
【図１】
0005077665.tif 000002
【図２】
0005077665.tif 000003
【図３】
0005077665.tif 000004
【図４】
0005077665.tif 000005